(57)【要約】【課題】構造の単純化と床板割付けの容易化を得ることができるようにする。【解決手段】下階建物ユニット１Ａ，１Ｂと、下階建物ユニット１Ａ，１Ｂの上部にオーバーハング状態で載置された上階建物ユニット２Ａ，２Ｂとを接合する建物ユニット用接合金具２１であって、接合金具本体２２が、下階建物ユニット１Ａ，１Ｂのユニット柱１１の上端側面に接合可能な下階柱接合部２３と、上階建物ユニット２Ａ，２Ｂの下梁に接合可能な上階下梁接合部２４と、ブレス材１０の端部を接合可能なブレス材接合部２５とを一体的に備えるようにしている。【選択図】　　　　図５
2004092313.tif 000002
【特許請求の範囲】
【請求項１】
下階建物ユニットと、該下階建物ユニットの上部にオーバーハング状態で載置された上階建物ユニットとを接合する建物ユニット用接合金具であって、
接合金具本体が、下階建物ユニットのユニット柱上端側面に接合可能な下階柱接合部と、上階建物ユニットの下梁に接合可能な上階下梁接合部と、ブレス材の端部を接合可能なブレス材接合部とを一体的に備えたことを特徴とする建物ユニット用接合金具。
【発明の詳細な説明】
【０００１】
【発明の属する技術分野】
この発明は、建物ユニット用接合金具に関するものである。
【０００２】
【従来の技術】
予め工場で製造したほぼ箱状の建物ユニットを建築現場へ複数輸送し、建築現場で複数の建物ユニットを組み立てることにより、短期間でユニット建物を構築するようにしたユニット工法が従来より行われている。
【０００３】
このようなユニット工法では、下階の建物ユニット（下階ユニット）の上に上階の建物ユニット（上階ユニット）をオーバーハング（張出）させて設置することがある。
【０００４】
例えば、特公平８−１４１５１号公報（特許第２１１００５８号）のものでは、下階ユニットの上に上階ユニットをオーバーハングさせると共に、下階ユニットのオーバーハング側の２本の柱の上端部からオーバーハング方向へ張出部材を設けて、この張出部材で上階ユニットのオーバーハング部を支持させるようにしている。
【０００５】
【発明が解決しようとする課題】
しかしながら、このような上記公報のユニット建物では、下階ユニットに設けられた張出部材は、対応する上階ユニットのオーバーハング部のみを個別に支持する構造となっていたため、下階ユニットと上階ユニットとをそれぞれ隣接配置した場合に、隣接するオーバーハング部の支持構造の間に何らの連携関係も存在しないこととなるので、ユニット建物に水平力が作用した際に、隣接するオーバーハング部の先端部分の間にズレ変位が生じ易いなどの問題があった。
【０００６】
また、下階ユニットの柱と上階ユニットの下梁とを接合し、更に、オーバーハング部の補強として下階ユニットの柱に水平ブレス材の端部を接合する構造を採用した場合には、これらが交錯して複雑な構造となってしまうという問題があった。
【０００７】
更に、下階ユニットの妻ジョイントピースで上階ユニットとの接合を行った場合、建物ユニットの外側からの接合作業ができなくなるため、接合部位直上の床板を切欠く必要が生じ、以て、床板割付けが複雑となるという問題があった。
【０００８】
そこで、本発明の目的は、上記の問題点を解消し、構造の単純化と床板割付けの容易化を得ることができる建物ユニット用接合金具を提供することにある。
【０００９】
【課題を解決するための手段】
上記課題を解決するために、請求項１に記載された発明では、下階建物ユニットと、該下階建物ユニットの上部にオーバーハング状態で載置された上階建物ユニットとを接合する建物ユニット用接合金具であって、接合金具本体が、下階建物ユニットのユニット柱上端側面に接合可能な下階柱接合部と、上階建物ユニットの下梁に接合可能な上階下梁接合部と、ブレス材の端部を接合可能なブレス材接合部とを一体的に備えた建物ユニット用接合金具を特徴としている。
【００１０】
このように構成された請求項１にかかる発明によれば、下階柱との接合機能と、上階下梁との接合機能と、ブレス材との接合機能という３つの接合機能を１つの金具にまとめたことにより、納りが単純化され、コスト低減を得ることができる。また、建物ユニットの外側からの接合作業が可能となるので、接合部位直上の床板を切欠く必要がなくなり、床板割付けが容易となる。
【００１１】
【発明の実施の形態】
以下、本発明を具体化した実施の形態について、図示例と共に説明する。
【００１２】
図１〜図９は、この発明の実施の形態を示すものである。
【００１３】
まず、全体的な構成を説明すると、図１に示すように、複数の下階建物ユニット１Ａ，１Ｂが隣接配置されている。そして、各下階建物ユニット１Ａ，１Ｂの上部にはそれぞれ上階建物ユニット２Ａ，２Ｂが複数隣接状態で載置されている。以上により、ユニット建物４が構成されている。なお、上記のユニット建物４の構成は、説明の都合上、単純化したものであり、実際には上記に限られるものでない。また、各建物ユニットは、居室ユニットに限らず、バルコニーユニットなどであっても良い。
【００１４】
このユニット建物４では、各上階建物ユニット２Ａ，２Ｂの一部が下階建物ユニット１Ａ，１Ｂに対し外方へ張出して（オーバーハングして）オーバーハング部５を形成している。
【００１５】
そして、下階建物ユニット１Ａ，１Ｂの相隣接する上縁部間、および、上階建物ユニット２Ａ，２Ｂの相隣接する下縁部間の少なくとも一方から外方へ延出する延出梁６が設けられ、この延出梁６の延出部６ａによって上階建物ユニット２Ａ，２Ｂのオーバーハング部５を同時に支持するようにしている。
【００１６】
そして、下階建物ユニット１Ａ，１Ｂの隣接しない側の上縁部から延出梁６とほぼ平行な片持梁７が突設され、片持梁７と延出梁６とによって上階建物ユニット２Ａ，２Ｂのオーバーハング部５を支持するようにしている。
【００１７】
更に、複数の延出梁６の外方端間、または、延出梁６と片持梁７の外方端間に渡し梁８が架設されている。
【００１８】
そして、下階建物ユニット１Ａ，１Ｂ、上階建物ユニット２Ａ，２Ｂの天井面や床面に対し、水平ブレス９（ブレス材）を設ける。この水平ブレス９は、予め工場で取付けておくようにする。
【００１９】
更に、延出梁６と片持梁７との間に水平ブレス１０（ブレス材）を設ける。この水平ブレス１０は、現地施工とする。
【００２０】
ここで、各建物ユニットは、図２に示すように、４本のユニット柱１１の上下端間をジョイントピース１２を介してそれぞれ上梁１４と下梁１５（図５、図６参照）とで連結してなるボックスラーメン構造の鉄骨枠に面パネルを取付けた鉄骨系ユニットとする。
【００２１】
上記した構成に対しこの発明では、下階建物ユニット１Ａ，１Ｂと、この下階建物ユニット１Ａ，１Ｂの上部にオーバーハング状態で載置された上階建物ユニット２Ａ，２Ｂとの間の接合に、図６から図９に示すような、建物ユニット用接合金具２１を用いる。
【００２２】
この建物ユニット用接合金具２１は、接合金具本体２２に、下階建物ユニット１Ａ，１Ｂのユニット柱１１上端側面に接合可能な下階柱接合部２３と、上階建物ユニット２Ａ，２Ｂの下梁１５（特に下面）に接合可能な上階下梁接合部２４と、ブレス材１０の端部を接合可能なブレス材接合部２５とを一体的に備えている。
【００２３】
ここで、下階柱接合部２３は略垂直なプレート状をしている。また、上階下梁接合部２４は略水平なプレート状をしている。ブレス材接合部２５は略水平なプレート状をしている。
【００２４】
下階柱接合部２３、上階下梁接合部２４、ブレス材接合部２５には、それぞれ、ボルト固定用の、ボルト孔２６が形成されている。
【００２５】
次に、この実施の形態の作用について説明する。
【００２６】
建物ユニット用接合金具２１の下階柱接合部２３を、ボルトを用いて下階建物ユニット１Ａ，１Ｂのユニット柱１１上端側面に接合する。そして、建物ユニット用接合金具２１の上階下梁接合部２４を、ボルトを用いて上階建物ユニット２Ａ，２Ｂの下梁１５（特に下面）に接合する。更に、建物ユニット用接合金具２１のブレス材接合部２５に、ボルトを用いてブレス材１０の端部を接合する。
【００２７】
このように、下階ユニット柱１１との接合機能と、上階の下梁１５との接合機能と、ブレス材１０との接合機能という３つの接合機能を１つの金具（建物ユニット用接合金具２１）にまとめたことにより、納りが単純化され、コスト低減を得ることができる。また、建物ユニットの外側からの接合作業が可能となるので、接合部位直上の床板を切欠く必要がなくなり、床板割付けが容易となる。
【００２８】
【発明の効果】
以上説明してきたように、請求項１の発明によれば、下階柱との接合機能と、上階下梁との接合機能と、ブレス材との接合機能という３つの接合機能を１つの金具にまとめたことにより、納りが単純化され、コスト低減を得ることができる。また、建物ユニットの外側からの接合作業が可能となるので、接合部位直上の床板を切欠く必要がなくなり、床板割付けが容易となる、という実用上有益な効果を発揮し得る。
【図面の簡単な説明】
【図１】本発明の実施の形態の全体斜視図である。
【図２】図１の下階建物ユニットの上面部分の水平断面図である。
【図３】図１の部分拡大図である。
【図４】上階建物ユニットの下面部分の部分拡大図である。
【図５】図４の側面図である。
【図６】建物ユニット用接合金具の斜視図である。
【図７】図６の平面図である。
【図８】図７の正面図である。
【図９】図８の側面図である。
【符号の説明】
１Ａ，１Ｂ　下階建物ユニット
２Ａ，２Ｂ　上階建物ユニット
１０　ブレス材
１１　ユニット柱
１５　下梁
２１　建物ユニット用接合金具
２２　接合金具本体
２３　下階柱接合部
２４　上階下梁接合部
２５　ブレス材接合部
【図１】
2004092313.tif 000003
【図２】
2004092313.tif 000004
【図３】
2004092313.tif 000005
【図４】
2004092313.tif 000006
【図５】
2004092313.tif 000007
【図６】
2004092313.tif 000008
【図７】
2004092313.tif 000009
【図８】
2004092313.tif 000010
【図９】
2004092313.tif 000011